(57)【要約】【課題】データ転送量の調整をオーディオデータのビットレートを変更することで、帯域を確保し、通話を持続させること。【解決手段】無線通信端末１（８００）は、無線通信端末３（８２０）との音声データパケットのロス率からネットワーク６００の通信網の帯域を計算し、この計算結果に基づいて無線データのビットレートを下げる。【選択図】図１
2008072599.tif 000002
【特許請求の範囲】
【請求項１】
音声データパケットのロス率から通信網の帯域を計算し、この計算結果に基づいて無線データのビットレートを下げることを特徴とする無線通信端末。
【請求項２】
前記ビットレートを徐々に下げることを特徴とする請求項１記載の無線通信端末。
【請求項３】
前記ビットレートは通信状態を安定させるデータサイズから実現できるビットレートととして計算された値まで下げることを特徴とする請求項１または２記載の無線通信端末。
【請求項４】
呼制御を行う管理サーバとネットワークを介して接続されている無線通信端末が、音声データパケットのロス率から通信網の帯域を計算し、この計算結果に基づいて無線データのビットレートを下げることを特徴とする通信システム。
【請求項５】
音声データパケットのロス率から通信網の帯域を計算ステップと、この計算結果に基づいて無線データのビットレートを下げるステップとを有することを特徴とする帯域制御方法。
【請求項６】
前記ビットレートを徐々に下げることを特徴とする請求項５記載の帯域制御方法。
【請求項７】
前記ビットレートは通信状態を安定させるデータサイズから実現できるビットレートととして計算された値まで下げることを特徴とする請求項５または６記載の帯域制御方法。
【請求項８】
コンピュータに請求項１から３のいずれか１項に記載の機能を実現させることを特徴とするプログラム。
【発明の詳細な説明】
【技術分野】
【０００１】
本発明は、本発明は、無線通信端末を使用した、ＩＰベースの音声通信において通信帯域の制御を行う技術に関する。
【背景技術】
【０００２】
従来の無線通信で使用している利用帯域の状態を図３を参照して説明する。同図において、区間Ｔ１の状態のときは、無線通信端末間の通信はアクセスポイントでの帯域上限を超えていないため、普通に会話を継続する。
【０００３】
しかしながら、従来の無線通信で使用している利用帯域の状態においては、次のような課題がある。複数の無線通信端末が同一アクセスポイントに複数接続し、音声通信を行うと、アクセスポイントでの帯域上限超過のため、通信に必要な帯域が確保できず、大幅な遅延やパケットのロストが発生し、まともに会話できないということである。
【０００４】
ここで、映像及び音声データを含むデータを所定のビットレートで送受信する映像・音声送信機と映像・音声受信機とを備え、映像・音声受信機は、映像・音声送信機からの信号に基づいて通信状態を検出するエラー情報生成部を備えると共に、映像・音声送信機は、映像・音声受信機によって検出された通信状態に基づいて、ビットレートを可変制御しながらデータを伝送する送信部を備え、この送信部は、通信状態が所定の基準を満たさないときに、ビットレートを一時的に下げてデータを映像・音声受信機に伝送することで、通信状態が悪化した場合であっても、映像及び音声データの劣化を最小限に抑えて、送信する映像や音声全体の品質を下げないでデータ通信を行うことができる技術が提案されている（例えば、特許文献１参照）。
【特許文献１】特開２００５−００６２８８号公報
【発明の開示】
【発明が解決しようとする課題】
【０００５】
しかしながら、上述した従来技術では、無線通信上において、複数端末がアクセスポイントを使用することでパケットロストや遅延が多くなり、通話が困難になってしまう。
【０００６】
本発明は、以上説明した問題点を解決するためになされたものである。その目的は、音声セッションプロトコルの送信者情報と受信者情報から得られる情報をもとに、データ転送量の調整をオーディオデータのビットレートを変更することで、音声の明瞭度を落としてでも帯域を確保し、通話を持続させることである。
【課題を解決するための手段】
【０００７】
請求項１に記載の発明は、音声データパケットのロス率から通信網の帯域を計算し、この計算結果に基づいて無線データのビットレートを下げることを特徴とする無線通信端末である。
【０００８】
請求項２に記載の発明は、請求項１記載の無線通信端末において、ビットレートを徐々に下げることを特徴とする。
【０００９】
請求項３に記載の発明は、請求項１または２記載の無線通信端末において、ビットレートは通信状態を安定させるデータサイズから実現できるビットレートととして計算された値まで下げることを特徴とする。
【００１０】
請求項４に記載の発明は、呼制御を行う管理サーバとネットワークを介して接続されている無線通信端末が、音声データパケットのロス率から通信網の帯域を計算し、この計算結果に基づいて無線データのビットレートを下げることを特徴とする通信システムである。
【００１１】
請求項５に記載の発明は、音声データパケットのロス率から通信網の帯域を計算ステップと、この計算結果に基づいて無線データのビットレートを下げるステップとを有することを特徴とする帯域制御方法である。
【００１２】
請求項６に記載の発明は、請求項５記載の帯域制御方法において、ビットレートを徐々に下げることを特徴とする。
【００１３】
請求項７に記載の発明は、請求項５または６記載の帯域制御方法において、ビットレートは通信状態を安定させるデータサイズから実現できるビットレートととして計算された値まで下げることを特徴とする。
【００１４】
請求項８に記載の発明は、コンピュータに請求項１から３のいずれか１項に記載の機能を実現させることを特徴とするプログラムである。
【発明の効果】
【００１５】
本発明によれば、音声セッションプロトコルの送信者情報と受信者情報から得られる情報をもとに、データ転送量の調整をオーディオデータのビットレートを変更することで、音声の明瞭度を落としてでも帯域を確保し、通話を持続させることができる。
【発明を実施するための最良の形態】
【００１６】
以下、本発明の第１の実施の形態について図面を参照して詳細に説明する。図１を参照すると、本実施の形態における無線ＬＡＮを利用した通信システムが示されている。同図において、呼制御管理サーバ５００は無線通信端末の位置と無線通信端末の呼セッション等を管理する。
【００１７】
無線通信端末１〜４には少なくとも呼制御プロトコル、ストリーム制御として音声セッションプロトコルおよび呼セッション、音声セッションを管理するプログラムを実装する。
【００１８】
図２を参照すると、図１に示す無線通信端末１〜４の音声通信を実現する機能ブロックの詳細な構成が示されている。同図において、音声通信ＡＰ１００は、オーディオデバイスを制御するオーディオ制御部１１０と、ストリームの状態を監視するストリーム監視部１２０と、通信セッションを管理する通信セッション管理部１３０を備えるＡＰで音声通信を実現する。
【００１９】
オーディオ制御部１１０は、コーデックの種類やサンプリングレート、ビットレート等を設定し、音声通信のオーディオデバイス制御を行う。
【００２０】
通信セッション管理部１３０は、現在ストリーム通信中の呼セッションおよび音声セッションの管理を行う。
【００２１】
ストリーム監視部１２０は、通信セッション管理部１３０で管理している音声セッションのストリーム状態を監視し、音声セッションプロトコルで送信する送信者情報と、受信する通信相手の受信者情報から、ストリームの状態を監視する。音声データパケットのロスト率から現在の通信網の帯域を計算し、オーディオ制御部１１０に対してビットレートを下げることで単位時間あたりのデータサイズを短縮し、自身が使用する通信網の帯域を低減させる。
【００２２】
なお、図１のネットワーク６００、アクセスポイント７００、７１０および無線通信端末８００〜８３０の基本的な機能や構成は、当業者にとってよく知られており、その詳細な構成の説明は省略する。
【００２３】
なお、ネットワーク接続のアクセスポイントとして、１つのアクセスポイントを利用することであってもよい。また、呼制御管理サーバ５００については、例えば、ＳＩＰサーバ等の情報処理装置で構成できる。
【００２４】
次に、図１に示す本実施の形態における音声通信の動作を図３に示すタイムチャートを使用して説明する。
【００２５】
図３は図１の無線通信端末１(８００)と無線通信端末３(８２０)が音声通信中の時のアクセスポイント７００の使用帯域の状態を示している。
【００２６】
無線通信端末１(８００)が帰属しているアクセスポイントの通信帯域の上限はＬｍａｘで、この上限を超えると通信パケットの遅延、ロストが発生してしまう。
【００２７】
無線通信端末１(８００)と無線通信端末３(８２０)の通信情報は、双方の端末間で授受され、少なくとも双方とも自身が相手に送信したパケット数がわかる情報、少なくとも双方とも自身が相手から受信したパケット数がわかる情報を含んでいることとする。
【００２８】
区間Ｔ１において無線通信端末１(８００)は無線通信端末３(８２０)と音声通信中であり、アクセスポイントの使用帯域はＬ１まで使用している。
【００２９】
図４に示すように、区間Ｔ１の無線通信端末１(８００)から無線通信端末３(８２０)への送信パケット数は、データ通信イメージにあるように４パケットであったとすると、一定時間ｔ（ＳＲ,ＰＲ）でやりとりされる無線通信端末１(８００)と３(８２０)の情報は、無線通信端末１(８００)から無線通信端末３(８２０)への送信情報として送信パケット数２で、無線通信３(８２０)から無線通信端末１(８００)への受信情報としてパケット数２である。
【００３０】
区間Ｔ２において、無線通信端末２(８１０)が無線通信端末４(８３０)と音声通信が開始され、アクセスポイント７００の必要帯域がＬ２であったとすると、使用帯域が上限のＬｍａｘを超えてしまったために、無線通信端末１(８００)〜無線通信端末４(８３０)の通信状態が不安定な状態になってしまう。このときの無線通信端末１(８００)と無線通信端末３(８２０)の通信情報は、図４から送信パケット数２の情報に対し、受信パケット数１または０の情報であるため、無線通信端末１(８００)は通信帯域不足を検出する。
【００３１】
無線通信端末１(８００)では、無線通信端末３(８２０)からの受信情報から、送信したパケット数に対して１／２のロストが発生しているため、送信データサイズを現状のビットレートのデータサイズから１／２以下のデータサイズになるようなビットレートに変更し、通信を継続する。同様に無線通信端末２(８１０)、無線通信端末３(８２０)、無線通信端末４(８３０)でもビットレートの変更を行う。
【００３２】
一般に、ビットレートを落とすと音声の明瞭度は落ちるが、データサイズも小さくなるため、使用帯域の縮小化がはかれる。
【００３３】
このような作用により、区間Ｔ３でのｔ（ＳＰＲＲ）では送信情報のパケット数２に対し、受信情報のパケット数２を維持でき、明瞭度は低下するが音声通信は違和感なく持続できる。
【００３４】
上記の本実施の形態によれば、リアルタイムのパケット送信情報、受信情報を利用しているので、そのときの帯域状態を検出できる。
【００３５】
また、ビットレートの変更で音声データサイズを落としているので、音声の明瞭度は落ちるが、これまでの会話の応答速度を持続できる。
【００３６】
また、無線通信端末のみでデータサイズの制御をしているので、帯域制御専用の他の装置を使用せずに実現できる。
【００３７】
次に、本発明の第２の実施の形態について説明する。その基本的構成は上記の第１の実施の形態と同様であるが、データサイズの縮小についてさらに工夫している。その方法構成を図５に示す。
【００３８】
同図において、Ｔ２δではデータサイズの縮小を会話に違和感をあたえないように徐々に逓減する。
【００３９】
このように、本実施の形態では、データサイズの縮小を徐々に逓減しているので、会話が違和感なく継続できるという効果が得られる。
【００４０】
なお、上述する各実施の形態は、本発明の好適な実施の形態であり、本発明の要旨を逸脱しない範囲内において種々変更実施が可能である。例えば、呼制御管理サーバ５００および各無線通信端末の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００４１】
【図１】本発明の第１の実施の形態における通信システムの構成を示す図である。
【図２】本発明の第１の実施の形態における無線通信端末の音声通信を実現する機能ブロック図である。
【図３】本発明の第１の実施の形態における無線通信端末同士が音声通信中の時のアクセスポイントの使用帯域の状態を示す図である。
【図４】本発明の第１の実施の形態における単位時間当たりのパケットデータ数を示す図である。
【図５】本発明の第２の実施の形態における無線通信端末同士が音声通信中の時のアクセスポイントの使用帯域の状態を示す図である。
【符号の説明】
【００４２】
５００    呼制御管理サーバ
６００    ネットワーク
７００、７１０    アクセスポイント
８００〜８３０    無線通信端末
【図１】
2008072599.tif 000003
【図２】
2008072599.tif 000004
【図３】
2008072599.tif 000005
【図４】
2008072599.tif 000006
【図５】
2008072599.tif 000007